(57)【要約】      （修正有）【課題】自動的に開けることができる蓋を有する容器を提供する。【解決手段】容器１０は、基部１１と、容器本体１２と、蓋１３と、弾性部材と、摺動部材１５と、を有する。基部１１は、相互に接続された底板１１１と、側壁１１０と、を有する。底板１１１および側壁１１０は一体となって収容空間Ｓを形成する。側壁１１０は、ブロッキング部１１２を有する。容器本体１２は、収容空間Ｓ内に配置され、スライド溝と、開口部と、を有する。蓋１３は、容器本体１２に軸支される。蓋１３は、容器本体１２に対して回動して、容器本体１２に対して閉位置と、開位置と、をとる。弾性部材は、容器本体１２に配置され、蓋１３に接続される。摺動部材は、第１の位置と、第２の位置と、をとるように容器本体１２に対して摺動するためにスライド溝に配置される。摺動部材は、互いに対向する第１の端部と、第２の端部と、を有する。第１の端部は、ブロック１５１０を有する。第２の端部は蓋１３に軸支される。【選択図】図４Ａ
0003195898.tif 000002
【実用新案登録請求の範囲】
【請求項１】
相互に接続された底板および側壁を有し、前記底板および前記側壁は一体となって収容空間を形成し、前記側壁はブロッキング部を備える、基部と、
前記収容空間内に着脱可能に配置され、スライド溝と、開口部と、を有する容器本体と、
前記容器本体に軸支され、前記容器本体に対して回動して、前記容器本体に対して閉位置と、開位置と、をとる蓋と、
前記容器本体に配置され、前記蓋に接続される弾性部材と、
第１の位置と、第２の位置と、をとるように前記容器本体に対して摺動するために前記スライド溝に摺動可能に配置され、互いに対向する第１の端部と、第２の端部と、を有し、前記第１の端部は、ブロックを有し、前記第２の端部は前記蓋に軸支される、摺動部材と、を有し、
前記容器本体が前記基部の前記収容空間内に配置されるとき、前記側壁の前記ブロッキング部は、前記摺動部材が前記第１の位置に配置されるように前記ブロックを押し、これによって前記開口部を塞ぐように前記蓋は前記閉位置に配置され、前記弾性部材は弾性ポテンシャルエネルギーを蓄え、
前記容器本体が前記基部から離れるとき、外部に前記開口部を露出させ、前記第１の位置から前記第２の位置へ摺動する前記摺動部材を駆動するために、前記蓋が前記閉位置から前記開位置へ回動するように前記弾性部材は前記弾性ポテンシャルエネルギーを解放することを特徴とする、容器。
【請求項２】
リンク機構をさらに有し、前記摺動部材は前記リンク機構を介して前記蓋に軸支されることを特徴とする、請求項１に記載の容器。
【請求項３】
前記蓋は回動部材を有し、前記リンク機構は前記蓋の前記回動部材に軸支されることを特徴とする、請求項２に記載の容器。
【請求項４】
前記基部の前記底板は、少なくとも１つの第１の空気穴を有することを特徴とする、請求項３に記載の容器。
【請求項５】
前記蓋は第１の締結部材を有し、前記容器本体は第２の締結部材を有し、前記第１の締結部材は前記第２の締結部材に締結されることを特徴とする、請求項４に記載の容器。
【請求項６】
前記弾性部材は、ねじりばねまたはゴムバンドであることを特徴とする、請求項５に記載の容器。
【請求項７】
前記第１の締結部材は、締結スロットであり、前記第２の締結部材は、前記締結スロットに対応する締結フックであることを特徴とする、請求項６に記載の容器。
【請求項８】
前記基部の前記側壁は、少なくとも１つの第２の空気穴を有することを特徴とする、請求項７に記載の容器。
【請求項９】
前記容器本体に配置されたボトルをさらに有することを特徴とする、請求項８に記載の容器。
【請求項１０】
基部に配置され、前記基部は、相互に接続する底板と、側壁と、を有し、前記底板および前記側壁は一体となって収容空間を形成し、前記側壁は、ブロッキング部を有する、容器であって、
着脱可能に前記収容空間内に配置され、スライド溝と、開口部と、を有する容器本体と、
前記容器本体に軸支され、前記容器本体に対して閉位置と、開位置と、をとるように前記容器本体に対して回動する蓋と、
前記容器本体に配置され、前記蓋に接続される弾性部材と、
第１の位置と、第２の位置と、をとるように前記容器本体に対して摺動するために前記スライド溝に摺動可能に配置され、互いに対向する第１の端部と、第２の端部と、を有し、前記第１の端部はブロックを有し、前記第２の端部は前記蓋に軸支される摺動部材と、を有し、
前記容器本体が前記基部の前記収容空間内に配置されるとき、前記側壁の前記ブロッキング部は、前記摺動部材が前記第１の位置に配置されるように前記ブロックを押し、これによって前記開口部を塞ぐように前記蓋は前記閉位置に配置され、前記弾性部材は弾性ポテンシャルエネルギーを蓄え、前記容器本体が前記基部から離れるとき、外部に前記開口部を露出させ、前記第１の位置から前記第２の位置へ摺動する前記摺動部材を駆動するために、前記蓋が前記閉位置から前記開位置へ回動するように前記弾性部材は弾性ポテンシャルエネルギーを解放することを特徴とする、容器。
【請求項１１】
リンク機構をさらに有し、前記摺動部材は前記リンク機構を介して前記蓋に軸支されることを特徴とする、請求項１０に記載の容器。
【請求項１２】
前記蓋は回動部材を有し、前記リンク機構は前記蓋の前記回動部材に軸支されることを特徴とする、請求項１１に記載の容器。
【請求項１３】
前記蓋は第１の締結部材を有し、前記容器本体は第２の締結部材を有し、前記第１の締結部材は前記第２の締結部材に締結されることを特徴とする、請求項１２に記載の容器
【請求項１４】
前記弾性部材は、ねじりばねまたはゴムバンドであることを特徴とする、請求項１３に記載の容器。
【請求項１５】
前記第１の締結部材は、締結スロットであり、前記第２の締結部材は、前記締結スロットに対応する締結フックであることを特徴とする、請求項１４に記載の容器。
【請求項１６】
前記容器本体に配置されたボトルをさらに有することを特徴とする、請求項１５に記載の容器。
【考案の詳細な説明】
【技術分野】
【０００１】
本考案は、容器、特に蓋を自動的に開くことが可能である容器に関する。
【背景技術】
【０００２】
技術の発展に伴い、人々がより便利に使用できるように、容器は改良されている。例えば、容器は、容器内に充填された液体がこぼれることを防止するための蓋を有する。一般的に、ユーザーが容器を開けようとするとき、ユーザーの片方の手は容器を保持し、他方の手は蓋を回転または反転して開ける。
【０００３】
しかし、人は作業中に常に両手を使って蓋を開くことができない。言い換えれば、ユーザーが作業中のとき、例えば、車を運転したり、電話をかけたりしているときに、同時に蓋を開けるためには、両手を使用できるように作業を停止する必要があるのでユーザーにとって不便である。したがって、ユーザーが片手で開けることができる蓋を有する容器を提供することが重要である。
【考案の概要】
【考案が解決しようとする課題】
【０００４】
本考案は、自動的に開けることができる蓋を有する容器を提供する。
【課題を解決するための手段】
【０００５】
本考案の一実施形態によれば、容器は、基部と、容器本体と、蓋と、弾性部材と、摺動部材と、を有する。基部は、相互に接続された底板と、側壁と、を有する。底板および側壁は一体となって収容空間を形成する。側壁は、ブロッキング部を有する。容器本体は、収容空間内に着脱可能に配置される。容器本体は、スライド溝と、開口部と、を有する。蓋は、容器本体に軸支される。蓋は、容器本体に対して回動して、容器本体に対して閉位置と、開位置と、をとる。弾性部材は、容器本体に配置される。弾性部材は、蓋に接続される。摺動部材は、第１の位置と、第２の位置と、をとるように容器本体に対して摺動するためにスライド溝に摺動可能に配置される。摺動部材は、互いに対向する第１の端部と、第２の端部と、を有する。摺動部材の第１の端部は、ブロックを有し、摺動部材の第２の端部は蓋に軸支される。容器本体が基部の収容空間内に配置されるとき、側壁のブロッキング部は、摺動部材が第１の位置に配置されるようにブロックを押し、これによって開口部を塞ぐように蓋は閉位置に配置され、弾性部材は弾性ポテンシャルエネルギーを蓄える。容器本体が基部から離れるとき、外部に開口部を露出させ、第１の位置から第２の位置へ摺動する摺動部材を駆動するために、蓋が閉位置から開位置へ回動するように弾性部材は弾性ポテンシャルエネルギーを解放する。
【０００６】
本考案の他の実施形態によれば、基部に配置される容器は、容器本体と、蓋と、弾性部材と、摺動部材と、を有する。基部は、相互に接続された底板と、側壁と、を有する。底板および側壁は一体となって収容空間を形成する。側壁は、ブロッキング部を有する。容器本体は、収容空間内に着脱可能に配置される。容器本体は、スライド溝と、開口部と、を有する。蓋は、容器本体に軸支される。蓋は、容器本体に対して回動して、容器本体に対して閉位置と、開位置と、をとる。弾性部材は、容器本体に配置される。弾性部材は、蓋に接続される。摺動部材は、第１の位置と、第２の位置と、をとるように容器本体に対して摺動するためにスライド溝に摺動可能に配置される。摺動部材は、互いに対向する第１の端部と、第２の端部と、を有する。摺動部材の第１の端部は、ブロックを有し、摺動部材の第２の端部は蓋に軸支される。容器本体が基部の収容空間内に配置されるとき、側壁のブロッキング部は、摺動部材が第１の位置に配置されるようにブロックを押し、これによって開口部を塞ぐように蓋は閉位置に配置され、弾性部材は弾性ポテンシャルエネルギーを蓄える。容器本体が基部から離れるとき、外部に開口部を露出させ、第１の位置から第２の位置へ摺動する摺動部材を駆動するために、蓋が閉位置から開位置へ回動するように弾性部材は弾性ポテンシャルエネルギーを解放する。
【考案の効果】
【０００７】
本考案によれば、ユーザーが基部から容器本体を持ち上げるとき、弾性ポテンシャルエネルギーが放出されることによって蓋は自動的に閉じられる。このため、片手で蓋を開け閉めすることができるので、ユーザーにとって有益である。
【図面の簡単な説明】
【０００８】
本明細書に開示された考案を完全に理解できるようにするために、以下の詳細な説明を示すが、ここに開示された考案に限定されるものではない。
【図１Ａ】図１Ａは、第１実施形態に係る容器の斜視図である。
【図１Ｂ】図１Ｂは、図１Ａに示す容器の分解図である。
【図１Ｃ】図１Ｃは、第２実施形態に係る容器の基部の斜視図である。
【図２Ａ】図２Ａは、第１実施形態に係る容器の第２の締結部材に容器の第１の締結部材を締結した状態の斜視図である。
【図２Ｂ】図２Ｂは、第１実施形態に係る容器の第２の締結部材から容器の第１の締結部材を外した状態の斜視図である。
【図３Ａ】図３Ａは、第１実施形態において容器の蓋が閉位置に配置された状態の容器の断面図である。
【図３Ｂ】図３Ｂは、第１実施形態において容器の蓋が開位置に配置された状態の容器の断面図である。
【図４Ａ】図４Ａは、第３実施形態における容器の斜視図である。
【図４Ｂ】図４Ｂは、図４Ａに示す容器の分解図である。
【考案を実施するための形態】
【０００９】
以下の詳細な説明では、本発明の十分な理解を提供するため、多くの特定の詳細を述べる。しかしながら、１または２以上の実施形態がこれらの特定の詳細がなくても実施できることは明らかである。他の事例では、周知の構造および装置が図面を簡略化するために概略的に示される。
【００１０】
図１Ａ、図１Ｂ、図２Ａ、図２Ｂ、図３Ａおよび図３Ｂを参照して以下説明する。図１Ａは、第１実施形態に係る容器の斜視図である。図１Ｂは、容器の分解図である。図２Ａは、第１実施形態に係る容器の第２の締結部材に容器の第１の締結部材を締結する斜視図である。図２Ｂは、第１実施形態に係る容器の第２の締結部材から容器の第１の締結部材を外した状態の斜視図である。図３Ａは、第１実施形態において容器の蓋が閉位置に配置された状態の容器の断面図である。図３Ｂは、第１実施形態において容器の蓋が開位置に配置された状態の容器の断面図である。本実施形態では、容器１０は、基部１１と、容器本体１２と、蓋１３と、弾性部材１４と、摺動部材１５と、を有する。
【００１１】
基部１１は、相互に接続する側壁１１０と、底板１１１と、を有する。側壁１１０および底板１１１は一体となって収容空間Ｓを形成する。側壁１１０は、ブロッキング部１１２を有する。具体的には、側壁１１０は、収容空間Ｓを囲む円形状の壁であり、底板１１１上に設置されるが、実施形態はこれに限定されない。他の実施形態において、側壁１１０は、多角形状の壁としてもよい。基部１１の底板１１１は、第１の空気穴１１１０を有し、側壁１１０は、複数の第２の空気穴１１００を有する。例えば、ブロッキング部１１２は、側壁１１０の縁である。
【００１２】
本実施形態では、第１の空気穴１１１０の数が１つであるが、これに限定されない。他の実施形態において、例えば、第１の空気穴１１１０の数が２以上であるか、あるいは底板１１１は第１の空気穴１１１０を有していなくてもよい。さらに、他の実施形態において、例えば、側壁１１０は、少なくとも１つの第２の空気穴１１０１を有するが、詳細な説明は後述する。
【００１３】
容器本体１２は、収容空間Ｓ内に着脱可能に配置される。容器本体１２は、スライド溝１２３と、開口部１２０と、を有する。容器本体１２は、互いに対向する第１の側１２１と、第２の側１２２と、を有する。容器本体１２の第２の側１２２は、第２の締結部材１２２０を有する。スライド溝１２３は、容器本体１２の第１の側１２１に配置され、溝面１２３１を有する。第２の締結部材１２２０の機能の説明は後述する。
【００１４】
蓋１３は、容器本体１２の第１の側１２１に軸支される。蓋１３は、互いに対向する回動端部１３１と、締結端部１３２と、を有する。蓋１３は、回動端部１３１に設置される回動部材１３３を有する。回動部材１３３は、容器本体１２の第１の側１２１に軸支される。締結端部１３２は、第２の締結部材１２２０に対応する第１の締結部材１３２０を有する。第１の締結部材１３２０は、例えば、締結スロットである。第２の締結部材１２２０は、例えば、締結スロットに対応する締結フックである。第２の締結部材１２２０（締結フック）は、容器本体１２に蓋１３を固定するために第１の締結部材１３２０（締結スロット）に締結される。
【００１５】
蓋１３は、容器本体１２に対して回動して、容器本体１２に対して閉位置と、開位置と、をとる。蓋１３は、閉位置に配置されるとき、容器本体１２の開口部１２０を塞ぐ（図３Ａを参照）。蓋１３は、開位置に配置されるとき、容器本体１２の開口部１２０を外部に露出させる（図３Ｂを参照）。
【００１６】
弾性部材１４は、容器本体１２の第１の側１２１に配置される。弾性部材１４は、蓋１３の回動部材１３３に接続される。弾性部材１４は、例えば、ねじりばねである。弾性部材１４は、蓋１３が開位置から閉位置に移動するとき、弾性ポテンシャルエネルギーを蓄える。弾性部材１４は、蓋１３が閉位置から開位置に移動するとき、弾性ポテンシャルエネルギーを解放する。
【００１７】
摺動部材１５は、容器本体１２のスライド溝１２３に摺動可能に配置される。摺動部材１５は、互いに対向する第１の端部１５１と、第２の端部１５２と、を有する。第１の端部１５１は、ブロック１５１０を有し、第２の端部１５２は、蓋１３に軸支される。摺動部材１５は、容器本体１２に対して摺動して、第１の位置と、第２の位置と、をとる。摺動部材１５が第１の位置に配置されるとき、第１の端部１５１のブロック１５１０と、スライド溝１２の溝面１２３１との間に間隔を有する。第１の端部１５１のブロック１５１０は、摺動部材１５が第２の位置に配置されるとき、スライド溝１２３の溝面１２３１に当接する（図３Ｂを参照）。
【００１８】
また、容器１０は、リンク機構１６をさらに有する。摺動部材１５の第２の端部１５２は、蓋１３が容器本体１２に対して回動するように、リンク機構１６を介して蓋１３が回動部材１３３に軸支されるが、これに限定されない。他の実施形態において、容器１０は、リンク機構１６を有していなくてもよく、摺動部材１５の第２の端部１５２は、適宜対応できる。第２の端部１５２は、容器本体１２に対して回動する蓋１３のために可逆的に変形される。
【００１９】
また、容器１０は、容器本体１２内に配置されたボトル１７をさらに有する。本実施形態において、ボトル１７は、容器本体１２から分離されるが、これに限定されない。他の実施形態では、ボトル１７と容器本体１２は共に一体化される。
【００２０】
以下、容器１０を使用するための手順と操作について説明する。ユーザーが容器１０を使用する必要がないときは、容器本体１２は、基部１１上に配置される（図３Ａおよび図３Ｂを参照）。側壁１１のブロッキング部１１２がブロック１５１０を押すように、容器本体１２は方向Ｆ１に沿って下降し、これによって摺動部材１５は第２の位置から第１の位置に向かって摺動する。リンク機構１６は、蓋１３を開位置から閉位置へ方向Ｆ２に沿って駆動する。摺動部材１５が第１の位置に配置されるとき、側壁１１のブロッキング部１１２は、ブロック１５１０に押し付けられる。蓋１３が閉位置にあるとき、蓋１３は開口部１２０を覆い、弾性部材１４が弾性ポテンシャルエネルギーを蓄積するために容器本体１２および蓋１３の両方が可逆的に変換されるように弾性部材１４を圧縮する。
【００２１】
蓋１３が開位置から閉位置へ回動するとき、容器本体１２は、第１の空気穴１１１０および／または第２の空気穴１１００を介して収容空間Ｓ内から外部へ空気を押し出して収容空間Ｓから空気を排除する。つまり、収容空間Ｓから除去する空気の速度は容器本体１２の下降速度を減速させる。したがって、収容空間Ｓから除去する空気の速度は、第１の空気穴１１１０および第２の空気穴１１００の配置を変更したり、第１の空気穴１１１０および第２の空気穴１１００の数を変えたりすることによって調整することができる。
【００２２】
ユーザーが容器１０を使用することが必要なとき（例えば、容器１０内の液体を飲むとき）、容器本体１２を基部１１から離すためにユーザーは（図３Ａおよび図３Ｂに示すように）容器本体１２を持ち上げる。第１の位置から第２の位置へ摺動する摺動部材１５を駆動するために、蓋１３が方向Ｆ３に沿って閉位置から開位置へ回動するように、弾性部材１４は弾性ポテンシャルエネルギーを解放する。さらに、外部に容器本体１２の開口部１２０を露出するために、蓋１３が閉位置から開位置に回動される。
【００２３】
ユーザーが基部１１から閉位置にある蓋１３と共に容器本体１２を持ち上げることが必要なとき、ユーザーは、蓋１３が容器本体１２に対して回動することができないように、第２の締結部材１２２０を（図２Ａに示すように）第１の締結部材１３２０に締結することができる。このようにして、蓋１３は、容器本体１２が基部１１から分離されても、閉位置をとることができる。
【００２４】
他の実施形態では、第２の空気穴の位置および第２の空気穴の数を変更することができる。図１Ｃを参照する。図１Ｃは、第２実施形態に係る容器の基部の斜視図である。第２の実施形態は、第１実施形態と類似しているので、相違点のみを説明する。
【００２５】
本実施形態では、側壁１１０および底板１１１は、さらに複数の第２の空気穴１１０１を有する。第２の空気穴１１０１は、容器本体１２の下降速度に影響を与えるために収容空間Ｓから除去する空気の速度を増加させるためのものである。したがって、収容空間Ｓから除去する空気の速度は、第２の空気穴１１０１の配置を変更したり、第２の空気穴１１０１の数を変えたりすることによって調整することができる。
【００２６】
弾性部材は、他の部材に置き換えることができる。図４Ａおよび図４Ｂを参照する。図４Ａは、第３実施形態における容器の斜視図である。図４Ｂは、図４Ａに示す容器の分解図である。第３実施形態は、第１実施形態と類似しているので、相違点のみを説明する。
【００２７】
本実施形態では、容器１０’の弾性部材１４’は、例えば、ゴムバンドである。したがって、弾性部材１４’は、弾性部材１４と同様の機能を有する。
【００２８】
本考案によれば、ユーザーが基部から容器本体を持ち上げるとき、蓋は前述した機械的関係から発生する弾性ポテンシャルエネルギーを解放することによって自動的に開くことができる。このため、片手で蓋を開けることができるため、ユーザーにとって有益である。
【００２９】
さらに、収容空間Ｓから除去する空気の速度を調整するために、第１の空気穴および第２の空気穴の位置と、第１の空気穴および第２の空気穴の数を調整することができ、これによって容器本体の下降速度を調整することができる。
【図１Ａ】
0003195898.tif 000003
【図１Ｂ】
0003195898.tif 000004
【図１Ｃ】
0003195898.tif 000005
【図２Ａ】
0003195898.tif 000006
【図２Ｂ】
0003195898.tif 000007
【図３Ａ】
0003195898.tif 000008
【図３Ｂ】
0003195898.tif 000009
【図４Ａ】
0003195898.tif 000010
【図４Ｂ】
0003195898.tif 000011